(57)【要約】【課題】配置された画像のアスペクト比を容易に確認できるようにしつつも、インデックスプリントにおいて見易くかつ容易に各画像の内容を確認することができるようにする。【解決手段】インデックスプリントの背景画像４０に複数の同一サイズのベース画像４２を並べて配置する。ベース画像４２にユーザ画像４４を内接して配置する。【選択図】図５
2007233778.tif 000002
【特許請求の範囲】
【請求項１】
それぞれが所定のアスペクト比を有する複数の画像を背景画像に並べて配置してなるインデックスプリントにおいて、
前記背景画像に複数の同一サイズのベース画像が並べて配置されてなり、該ベース画像に前記画像が内接して配置されてなることを特徴とするインデックスプリント。
【請求項２】
前記ベース画像が半透明画像であることを特徴とする請求項１記載のインデックスプリント。
【請求項３】
前記ベース画像が前記複数の画像のうち最も多い画像のアスペクト比に対応するアスペクト比を有することを特徴とする請求項１または２記載のインデックスプリント。
【請求項４】
前記複数の画像が同一のアスペクト比を有する場合、前記ベース画像が前記複数の画像のアスペクト比に対応するアスペクト比を有することを特徴とする請求項１または２記載のインデックスプリント。
【請求項５】
それぞれが所定のアスペクト比を有する複数の画像を背景画像に並べて配置してなるインデックスプリントを作成するインデックスプリント作成装置において、
前記背景画像に複数の同一サイズのベース画像を並べて配置するベース画像配置手段と、
該ベース画像に前記画像を内接させて配置する画像配置手段とを備えたことを特徴とするインデックスプリント作成装置。
【請求項６】
前記ベース画像が半透明画像であることを特徴とする請求項５記載のインデックスプリント作成装置。
【請求項７】
前記ベース画像配置手段は、前記複数の画像のうち最も多い画像のアスペクト比に対応するアスペクト比を有するベース画像を配置する手段であることを特徴とする請求項５または６記載のインデックスプリント作成装置。
【請求項８】
前記ベース画像配置手段は、前記複数の画像が同一のアスペクト比を有する場合、すべての前記複数の画像のアスペクト比に対応するアスペクト比を有するベース画像を配置する手段であることを特徴とする請求項５または６記載のインデックスプリント作成装置。
【請求項９】
それぞれが所定のアスペクト比を有する複数の画像を背景画像に並べて配置してなるインデックスプリントを作成するインデックスプリント作成方法において、
前記背景画像に複数の同一サイズのベース画像を並べて配置し、
該ベース画像に前記画像を内接させて配置することを特徴とするインデックスプリント作成方法。
【請求項１０】
それぞれが所定のアスペクト比を有する複数の画像を背景画像に並べて配置してなるインデックスプリントを作成するインデックスプリント作成方法をコンピュータに実行させるためのプログラムにおいて、
前記背景画像に複数の同一サイズのベース画像を並べて配置する手順と、
該ベース画像に前記画像を内接させて配置する手順とを有することを特徴とするプログラム。
【発明の詳細な説明】
【技術分野】
【０００１】
本発明は、複数の画像を配置してなるインデックスプリント、インデックスプリント作成装置および方法、並びにインデックスプリント作成方法をコンピュータに実行させるためのプログラムに関するものである。
【背景技術】
【０００２】
デジタルカメラにより取得した画像をプリント出力するプリントサービスが提供されている。このようなプリントサービスにおいては、以下のようにプリントが行われる。すなわち、ユーザが自身のパソコンにおいて、ビューアソフトを用いてプリント出力する画像を指定するとともに、プリント枚数およびプリントサイズ等の注文内容を表す注文情報を作成し、注文情報をプリント出力する画像とともにメモリカード等のメディアに記録して写真店に持参する。写真店においては、写真店の店頭に設置された注文受付装置にメディアをセットし、画面に現れる指示にしたがって操作を行うことにより、写真店のプリンタから注文情報により表される注文内容したがって画像がプリント出力される。
【０００３】
また、メディアに記録されている画像をＣＤに記録する注文を行うことにより、画像のバックアップを行うことも可能である。このような場合、メディアに記録されたすべての画像の一覧を並べたインデックスプリントが作成される場合がある。この場合、インデックスプリントを参照すれば、ＣＤにどのような画像が記録されているかを一見して知ることができる。
【０００４】
ところで、デジタルカメラにおいては、撮影により取得される画像のサイズは、通常サイズ、ハイビジョンサイズ、およびパノラマサイズ等のアスペクト比が異なる各種サイズに設定することが可能である。また、カメラの機種によっても、得られる画像のアスペクト比が異なる場合がある。さらに、撮影時においてカメラを横長に構えるか縦長に構えるかに応じて、得られる画像の天地が横長または縦長に変更されることとなる。
【０００５】
このようにアスペクト比に応じたサイズの画像を用いてインデックスプリントを作成した場合、インデックスプリントには多種類の画像が雑然と配列されるために見にくくなってしまう。また、インデックスプリント上に無駄な空白が生じるため、１枚のインデックスプリントに収めることができる画像の数が少なくなってしまう。
【０００６】
このため、画像をすべて同一のアスペクト比により撮影し、プリント時にプリントのアスペクト比を設定する場合において、インデックスプリントに含まれる各画像に設定したアスペクト比を示すマークを付与するシステムが提案されている（特許文献１参照）。このシステムによれば、インデックスプリントに表示される画像はすべて同一アスペクト比となるため、インデックスプリントを見易くすることができるとともに、各画像のアスペクト比についてもマークを参照することにより確認することができる。
【特許文献１】特開平５−２７４０６号公報
【発明の開示】
【発明が解決しようとする課題】
【０００７】
しかしながら、上記特許文献１に記載された手法においては、インデックスプリント上においてすべての画像が同一アスペクト比となっているため、アスペクト比を示すマークが付与されているものの、直感的に画像のアスペクト比を認識することは困難である。
【０００８】
本発明は、上記事情に鑑みなされたものであり、配置された画像のアスペクト比を容易に確認できるようにしつつも、インデックスプリントにおいて見易くかつ容易に各画像の内容を確認することができるようにすることを目的とする。
【課題を解決するための手段】
【０００９】
本発明によるインデックスプリントは、それぞれが所定のアスペクト比を有する複数の画像を背景画像に並べて配置してなるインデックスプリントにおいて、
前記背景画像に複数の同一サイズのベース画像が並べて配置されてなり、該ベース画像に前記画像が内接して配置されてなることを特徴とするものである。
【００１０】
なお、本発明によるインデックスプリントにおいては、前記ベース画像を半透明画像としてもよい。
【００１１】
また、本発明によるインデックスプリントにおいては、前記ベース画像を前記複数の画像のうち最も多い画像のアスペクト比に対応するアスペクト比を有するようにしてもよい。
【００１２】
また、本発明によるインデックスプリントにおいては、前記複数の画像が同一のアスペクト比を有する場合、前記ベース画像を前記複数の画像のアスペクト比に対応するアスペクト比を有するようにしてもよい。
【００１３】
本発明によるインデックスプリント作成装置は、それぞれが所定のアスペクト比を有する複数の画像を背景画像に並べて配置してなるインデックスプリントを作成するインデックスプリント作成装置において、
前記背景画像に複数の同一サイズのベース画像を並べて配置するベース画像配置手段と、
該ベース画像に前記画像を内接させて配置する画像配置手段とを備えたことを特徴とするものである。
【００１４】
なお、本発明によるインデックスプリント作成装置においては、前記ベース画像を半透明画像としてもよい。
【００１５】
また、本発明によるインデックスプリント作成装置においては、前記ベース画像配置手段を、前記複数の画像のうち最も多い画像のアスペクト比に対応するアスペクト比を有するベース画像を配置する手段としてもよい。
【００１６】
また、本発明によるインデックスプリント作成装置においては、前記複数の画像が同一のアスペクト比を有する場合、前記ベース画像配置手段を、すべての前記複数の画像のアスペクト比に対応するアスペクト比を有するベース画像を配置する手段としてもよい。
【００１７】
本発明によるインデックスプリント作成方法は、それぞれが所定のアスペクト比を有する複数の画像を背景画像に並べて配置してなるインデックスプリントを作成するインデックスプリント作成方法において、
前記背景画像に複数の同一サイズのベース画像を並べて配置し、
該ベース画像に前記画像を内接させて配置することを特徴とするものである。
【００１８】
なお、本発明によるインデックスプリント作成方法をコンピュータに実行させるためのプログラムとして提供してもよい。
【発明の効果】
【００１９】
本発明によれば、同一サイズのベース画像がインデックスプリントの背景画像に配置されており、各ベース画像にそれぞれが所定のアスペクト比を有する画像が内接して配置される。これにより、インデックスプリントに配置される画像は、そのそれぞれが指定されたアスペクト比を有するものとなるため、インデックスプリントを見れば、各画像のアスペクト比を直感的に知ることができる。また、各画像は同一サイズのベース画像に内接されて配置されているため、ベース画像の存在により背景画像に無駄な空白が生じているように感じることもなくなる。したがって、雑多な印象を与えることなく、インデックスプリントを見易くすることができるとともに、インデックスプリントに配置される各画像のアスペクト比も容易に確認することができることとなる。
【００２０】
また、ベース画像を半透明画像とすることにより、インデックスプリントにおいて、ベース画像が目立ってしまうことがなくなるため、インデックスプリントをより見易くすることができる。
【００２１】
また、ベース画像のアスペクト比を、複数の画像のうち最も多い画像のアスペクト比に対応する、あるいはすべての画像のアスペクト比に対応するものとすることにより、背景画像に生じる無駄な空白をより少なくすることができるため、インデックスプリントをより見易くすることができる。
【発明を実施するための最良の形態】
【００２２】
以下、図面を参照して本発明の実施形態について説明する。図１は本発明の第１の実施形態によるインデックスプリント作成装置を適用したプリント等の注文受付装置の外観斜視図である。図１に示すように、本実施形態による注文受付装置１は、ユーザによる画像のＣＤへの記録およびプリント出力等の注文を受け付けるために写真店の店頭に設置されてなるものであり、画像が記録された各種メモリカード２を装填し、メモリカード２から画像を読み出したり、メモリカード２に画像を記録したりするための複数種類のカードスロット４と、注文のための各種表示を行う表示部６とを備え、写真店に設置されたＣＤドライブ８およびプリンタ１０と接続されている。なお、表示部６はタッチパネル式の入力部を備え、ユーザは表示部６の表示にしたがって表示部６にタッチすることにより、注文に必要な入力を行うことができる。
【００２３】
ここで、本実施形態においては、写真店は、ユーザがユーザの画像（以下ユーザ画像とする）のＣＤへの記録の注文を行った場合に、ＣＤに記録したユーザ画像のサムネイル画像を並べたインデックスプリントをプリント出力して、ユーザ画像を記録したＣＤとともにユーザに渡すサービスを提供するものである。
【００２４】
図２は本発明の実施形態による注文受付装置の構成を示す概略ブロック図である。図２に示すように、注文受付装置１は、画像を表す画像データの記録制御および表示制御等の各種制御を行うとともに、装置１を構成する各部の制御を行うＣＰＵ１２と、装置１を動作させるための基本的なプログラムおよび各種定数が記録されているＲＯＭ並びにＣＰＵ１２が処理を実行する際の作業領域となるＲＡＭにより構成されるシステムメモリ１４と、種々の指示を装置１に対して行うためのタッチパネル式の入力部１６と、上述した表示部６とを備える。
【００２５】
また、注文受付装置１は、上述したカードスロット４と、画像データをＪＰＥＧに代表される手法で圧縮したり、圧縮した画像データを解凍する圧縮解凍部２２と、メモリカード２から読み出した画像データが表す画像のＣＤへの記録等を行うための注文プログラムを含むＣＰＵ１２が実行する各種プログラム等を記録するハードディスク２４と、システムメモリ１４、カードスロット４およびハードディスク２４を制御するメモリ制御部２６と、表示部６の表示を制御する表示制御部２８と、ＣＤドライブ８およびプリンタ１０を装置１に接続するためのインターフェース（Ｉ／Ｆ）３０とを備える。
【００２６】
なお、カードスロット４はメモリカード２の種類に応じて複数用意されているが、図２においては１つのカードスロット４のみを示している。
【００２７】
また、注文受付装置１は、本発明のインデックスプリント作成装置に対応するインデックスプリント作成部３２を備える。インデックスプリント作成部３２は、インデックスプリントの背景画像に複数の同一サイズのベース画像を並べて配置するベース画像配置部３４と、ベース画像のそれぞれにインデックスプリントに含めるユーザ画像を内接させて配置するユーザ画像配置部３６とを備える。
【００２８】
以下、インデックスプリント作成部３２の機能について、第１の実施形態において行われる処理と併せて説明する。
【００２９】
図３は第１の実施形態において行われる処理を示すフローチャートである。ユーザがメモリカード２をカードスロット４に装填し、メモリカード２に記録されたユーザ画像のＣＤへの記録の注文の指示を入力部１６から行うことによりＣＰＵ１２が処理を開始し、メモリカード２に記録された複数のユーザ画像を読み込む（ステップＳＴ１）。次いで、ベース画像配置部３４があらかじめ定められた背景画像に同一サイズのベース画像を配置する（ステップＳＴ２）。
【００３０】
図４は第１の実施形態において背景画像にベース画像が配置された状態を示す図である。図４に示すように複数（ここでは１２個）の正方形のベース画像４２が背景画像４０に配置されている。ここで、背景画像４０は写真店があらかじめ用意してハードディスク２４に保存しておいたものを用いるものとする。なお、複数の背景画像から所望とする背景画像をユーザに選択させるようにしてもよい。
【００３１】
ベース画像４２は透明度を表すαチャンネルが設定された所定の色を有する半透明の正方形の画像である。ここで、ベース画像４２の色は無彩色、彩度が低い色、および背景画像に近似する色等、後述するようにユーザの画像を配置した際に、ベース画像４２が目立たなくなるような色とすることが好ましい。また、透明度についても、ベース画像４２が目立たなくなるように設定することが好ましい。
【００３２】
次いで、ユーザ画像配置部３６がユーザ画像をベース画像４２に内接するサイズとなるように縮小し、縮小したユーザ画像をベース画像４２上にファイル名順に並べて配置する（ステップＳＴ３）。この際、横長となるように天地が設定されたユーザ画像は画像の左右の辺がベース画像４２の左右の辺に内接するように配置する。一方、縦長となるように天地が設定されたユーザ画像は画像の上下の辺がベース画像４２の上下の辺に内接するように配置する。
【００３３】
ここで、ユーザ画像は撮影時にパノラマ、ハイビジョン等の画像サイズが指定されている場合がある。また、画像を取得したデジタルカメラの機種に応じて得られる画像のアスペクト比が異なる。本実施形態においては、各画像が有するアスペクト比を維持しつつベース画像４２に内接するようにすべてのユーザ画像を配置する。
【００３４】
ユーザ画像配置部３６は、このように作成したインデックスプリントを表す画像データ（以下、インデックスプリントデータとする）をプリンタ１０に送信する（ステップＳＴ４）。これにより、プリンタ１０は、ユーザ画像のサムネイル画像をファイル名順に並べたインデックスプリントをプリント出力し（ステップＳＴ５）、処理を終了する。
【００３５】
なお、ユーザ画像はＣＤドライブ１０に送信され、ＣＤドライブ８が、ユーザ画像をＣＤに記録する。
【００３６】
図５は第１の実施形態において作成されたインデックスプリントを示す図である。図５に示すように、インデックスプリント５０には、背景画像４０に正方形のベース画像４２が配置され、ベース画像４２のそれぞれにユーザ画像４４が内接するように配置されている。また、すべてのユーザ画像４４はそのアスペクト比を維持した状態で、ベース画像４２に内接するように配置されている。
【００３７】
このように、第１の実施形態においては、同一サイズのベース画像４２をインデックスプリントの背景画像４０に配置し、各ベース画像４２にそれぞれが所定のアスペクト比を有するユーザ画像４４を内接させて配置するようにしたものである。このため、インデックスプリントに配置されるユーザ画像４４はそのそれぞれが指定されたアスペクト比を有するものとなっていることから、インデックスプリントを見れば、各ユーザ画像４４のアスペクト比を直感的に知ることができる。また、各ユーザ画像４４は同一サイズのベース画像４２に内接されて配置されているため、ベース画像４２の存在により、背景画像４０に無駄な空白が生じているように感じることもなくなる。したがって、雑多な印象を与えることなく、インデックスプリント５０を見易くすることができるとともに、インデックスプリント５０に配置される各ユーザ画像４４のアスペクト比も容易に知ることができる。
【００３８】
また、ベース画像４２を半透明の画像とすることにより、インデックスプリント５０において、ベース画像４２が目立ってしまうことがなくなるため、インデックスプリント５０をより見易くすることができる。
【００３９】
なお、上記第１の実施形態においては、ベース画像４２を正方形としているが、デジタルカメラにより取得される画像は天地が縦長の画像よりも横長の画像の方が多い。このため、図６に示すように、ベース画像４２のアスペクト比を若干横長となるようにしてもよい。具体的には、ベース画像４２の左右の辺の長さが上下の辺の長さの９０％程度となるようにアスペクト比を変更すればよい。これにより、インデックスプリントをより見易くすることができる。
【００４０】
次いで、本発明の第２の実施形態について説明する。なお、第２の実施形態においては、インデックスプリント作成部３２において行われる処理が第１の実施形態と異なるのみであり、装置の構成については第１の実施形態と同一であるため、ここでは詳細な説明は省略する。上記第１の実施形態においては、正方形のベース画像を配置するようにしているが、第２の実施形態においては、複数のユーザ画像のうち、縦長を天地とする画像と横長を天地とする画像のいずれが多いかを判断し、多い方の画像のアスペクト比に対応するアスペクト比を有するベース画像を配置するようにした点が第１の実施形態と異なる。
【００４１】
なお、ユーザ画像が横長を天地とするか縦長を天地とするかの判断は、画像を回転したことを表す回転情報がユーザ画像に付与されているか否かにより行う。すなわち、回転情報が付与されている場合にユーザ画像は縦長を天地とするものであると判断し、回転情報が付与されていない場合にユーザ画像は横長を天地とするものであると判断する。ここで、回転情報はデジタルカメラによる撮影時にデジタルカメラが画像に付与したものを用いてもよく、ユーザがビューアソフトを用いての画像の閲覧時に画像に付与したものを用いてもよい。
【００４２】
図７は第２の実施形態において行われる処理を示すフローチャートである。ユーザがメモリカード２をカードスロット４に装填し、メモリカード２に記録されたユーザ画像のＣＤへの記録の注文の指示を入力部１６から行うことによりＣＰＵ１２が処理を開始し、メモリカード２に記録された複数のユーザ画像を読み込む（ステップＳＴ１１）。次いで、ベース画像配置部３４がすべてのユーザ画像についての回転情報の有無に基づいて、縦長を天地とする画像（縦長画像）および横長を天地とする画像（横長画像）のいずれの方が多いかを判断する（ステップＳＴ１２）。
【００４３】
横長画像が多いと判断した場合には、ベース画像配置部３４は背景画像に横長のベース画像を配置する（ステップＳＴ１３）。縦長画像が多いと判断した場合には、ベース画像配置部３４は背景画像に縦長のベース画像を配置する（ステップＳＴ１４）。
【００４４】
図８は第２の実施形態において背景画像にベース画像が配置された状態を示す図である。横長のユーザ画像が多いと判断された場合、図８（ａ）に示すように背景画像４０に横長のベース画像４２Ａが配置される。縦長のユーザ画像が多いと判断された場合、図８（ｂ）に示すように背景画像４０に横長のベース画像４２Ｂが配置される。
【００４５】
次いで、ユーザ画像配置部３６がユーザ画像をベース画像４２Ａ，４２Ｂに内接するサイズとなるように縮小し、縮小したユーザ画像をベース画像４２Ａ，４２Ｂ上にファイル名順に並べて配置する（ステップＳＴ１５）。この際、横長となるように天地が設定された画像は画像の左右の辺がベース画像４２Ａ，４２Ｂの左右の辺に内接するように配置する。一方、縦長となるように天地が設定された画像は画像の上下の辺がベース画像４２Ａ，４２Ｂの上下の辺に内接するように配置する。
【００４６】
ここで、ユーザ画像は撮影時にパノラマ、ハイビジョン等の画像サイズが指定されている場合がある。また、画像を取得したデジタルカメラの機種に応じて得られる画像のアスペクト比が異なる。本実施形態においては、各画像が有するアスペクト比を維持しつつベース画像４２Ａ，４２Ｂに内接するようにユーザ画像を配置する。
【００４７】
ユーザ画像配置部３６は、このように作成したインデックスプリントを表すインデックスプリントデータをプリンタ１０に送信する（ステップＳＴ１６）。これにより、プリンタ１０は、ユーザの画像のサムネイル画像をファイル名順に並べたインデックスプリントをプリント出力し（ステップＳＴ１７）、処理を終了する。
【００４８】
なお、ユーザの画像はＣＤドライブ１０に送信され、ＣＤドライブ８が、ユーザの画像をＣＤに記録する。
【００４９】
図９は第２の実施形態において作成されたインデックスプリントを示す図であり、図９（ａ）は横長のユーザ画像が多いと判断された場合、図９（ｂ）は縦長のユーザ画像が多いと判断された場合のインデックスプリントをそれぞれ示す。横長のユーザ画像が多いと判断された場合、図９（ａ）に示すように、インデックスプリント５０には、背景画像４０に横長のベース画像４２Ａが配置され、ベース画像４２Ａのそれぞれにユーザ画像４４が内接するように配置されている。縦長のユーザ画像が多いと判断された場合、図９（ｂ）に示すように、インデックスプリント５０には、背景画像４０に縦長のベース画像４２Ｂが配置され、ベース画像４２Ｂのそれぞれにユーザ画像４４が内接するように配置されている。また、いずれの場合においても、各画像が有するアスペクト比を維持した状態で、ベース画像４２Ａ，４２Ｂに内接するように各ユーザ画像４４が配置されている。
【００５０】
このように、第２の実施形態においては、ユーザ画像４４について横長画像および縦長画像のいずれが多いかを判断し、多い方の画像に対応するベース画像４２Ａ，４２Ｂを背景画像４０に配置するようにしたものである。このため、背景画像４０に生じる無駄な空白をより少なくすることができ、これにより、インデックスプリント５０をより見易くすることができる。
【００５１】
次いで、本発明の第３の実施形態について説明する。なお、第３の実施形態においては、インデックスプリント作成部３２において行われる処理が第１の実施形態と異なるのみであり、装置の構成については第１の実施形態と同一であるため、ここでは詳細な説明は省略する。上記第１の実施形態においては、正方形のベース画像を配置するようにしているが、第３の実施形態においては、すべてのユーザ画像が同一のアスペクト比を有する場合に、ユーザ画像のアスペクト比を判断し、ユーザ画像のアスペクト比を有するベース画像を配置するようにした点が第１の実施形態と異なる。
【００５２】
なお、ユーザ画像のアスペクト比の判断は、デジタルカメラの機種に応じて取得される画像のアスペクト比は決まっていることから、デジタルカメラによる撮影時にデジタルカメラが画像に付与したカメラの機種情報を用いて行えばよい。この場合、ハードディスク２４にカメラの機種と取得される画像のアスペクト比との関係をテーブルとして保存しておき、このテーブルを参照して画像のアスペクト比の情報を得るようにすればよい。また、カメラの機種情報が付与されていない場合には、ユーザ画像の縦横のサイズからアスペクト比を算出することによりアスペクト比の情報を得ればよい。ここで、本実施形態においては、ユーザ画像には、３：２、４：３、および１６：９の３通りのアスペクト比が用いられているものとする。
【００５３】
図１０は第３の実施形態において行われる処理を示すフローチャートである。ユーザがメモリカード２をカードスロット４に装填し、メモリカード２に記録されたユーザ画像のＣＤへの記録の注文の指示を入力部１６から行うことによりＣＰＵ１２が処理を開始し、メモリカード２に記録された複数のユーザ画像を読み込む（ステップＳＴ２１）。次いで、ベース画像配置部３４がユーザ画像のアスペクト比を判断する（ステップＳＴ２２）。
【００５４】
ユーザ画像のアスペクト比が３：２と判断された場合には、ベース画像配置部３４は背景画像にアスペクト比が３：２用のベース画像を配置する（ステップＳＴ２３）。ユーザ画像のアスペクト比が４：３と判断された場合には、ベース画像配置部３４は背景画像にアスペクト比が４：３用のベース画像を配置する（ステップＳＴ２４）。ユーザ画像のアスペクト比が１６：９と判断された場合には、ベース画像配置部３４は背景画像にアスペクト比が１６：９用のベース画像を配置する（ステップＳＴ２５）。
【００５５】
図１１は第３の実施形態において背景画像にベース画像が配置された状態を示す図である。ユーザ画像のアスペクト比が３：２と判断された場合、図１１（ａ）に示すように背景画像４０に３：２用のベース画像４２Ｃが配置される。ユーザ画像のアスペクト比が４：３と判断された場合、図１１（ｂ）に示すように背景画像４０に４：３用のベース画像４２Ｄが配置される。ユーザ画像のアスペクト比が１６：９と判断された場合、図１１（ｃ）に示すように背景画像４０に１６：９用のベース画像４２Ｅが配置される。
【００５６】
ここで、ベース画像４２Ｃは正方形のベース画像４２のアスペクト比を若干横長となるようにしたものである。ベース画像４２Ｄは正方形のベース画像４２のアスペクト比をベース画像４２Ｃよりもさらに横長となるようにしたものである。ベース画像４２Ｅは正方形のベース画像４２のアスペクト比をベース画像４２Ｄよりもさらに横長となるようにしたものである。なお、本実施形態においては、ベース画像４２Ｃ〜４２Ｅはそれぞれユーザ画像と同一のアスペクト比を有するものとする。
【００５７】
次いで、ユーザ画像配置部３６がユーザ画像をベース画像４２Ｃ〜４２Ｅに内接するように縮小し、縮小したユーザ画像をベース画像４２Ｃ〜４２Ｅ上にファイル名順に並べて配置する（ステップＳＴ２６）。
【００５８】
ユーザ画像配置部３６は、このように作成したインデックスプリントを表すインデックスプリントデータをプリンタ１０に送信する（ステップＳＴ２７）。これにより、プリンタ１０は、ユーザの画像のサムネイル画像をファイル名順に並べたインデックスプリントをプリント出力し（ステップＳＴ２８）、処理を終了する。
【００５９】
なお、ユーザの画像はＣＤドライブ１０に送信され、ＣＤドライブ８が、ユーザの画像をＣＤに記録する。
【００６０】
図１２は第３の実施形態において作成されたインデックスプリントを示す図であり、図１２（ａ）はユーザ画像のアスペクト比が３：２と判断された場合、図１２（ｂ）はユーザ画像のアスペクト比が４：３と判断された場合、図１２（ｄ）はユーザ画像のアスペクト比が１６：９と判断された場合のインデックスプリントをそれぞれ示す。ユーザ画像のアスペクト比が３：２と判断された場合、図１２（ａ）に示すように、インデックスプリント５０には、背景画像４０にアスペクト比が３：２用のベース画像４２Ｃが配置され、ベース画像４２Ｃのそれぞれにユーザ画像４４が内接するように配置されている。ユーザ画像のアスペクト比が４：３と判断された場合、図１２（ｂ）に示すように、インデックスプリント５０には、背景画像４０にアスペクト比が４：３用のベース画像４２Ｄが配置され、ベース画像４２Ｄのそれぞれにユーザ画像４４が内接するように配置されている。ユーザ画像のアスペクト比が１６：９と判断された場合、図１２（ｃ）に示すように、インデックスプリント５０には、背景画像４０にアスペクト比が１６：９用のベース画像４２Ｅが配置され、ベース画像４２Ｅのそれぞれにユーザ画像４４が内接するように配置されている。なお、いずれの場合においても、各画像が有するアスペクト比を維持した状態で、ベース画像４２に内接するようにユーザ画像４４が配置されている。ここで、本実施形態においては、ベース画像４２Ｃ〜４２Ｅはユーザ画像４４と同一のアスペクト比となっているため、インデックスプリント５０においてはベース画像４２Ｃ〜４２Ｅは見えないようになっている。
【００６１】
このように、第３の実施形態においては、ユーザ画像４４のアスペクト比を判断し、ユーザ画像４４のアスペクト比に対応するベース画像４２Ｃ〜４２Ｅを配置するようにしたものである。このため、背景画像４０に生じる無駄な空白をより少なくすることができ、これにより、インデックスプリント５０をより見易くすることができる。
【００６２】
なお、上記第１から第３の実施形態においては、本発明によるインデックスプリント作成装置を注文受付装置に用いているが、本発明によるインデックスプリント作成装置を単体で用いてもよい。
【００６３】
以上、本発明の実施形態に係る装置について説明したが、コンピュータを、上記のベース画像配置部３４およびユーザ画像配置部３６に対応する手段として機能させ、図３，７，１０に示すような処理を行わせるプログラムも、本発明の実施形態の１つである。また、そのようなプログラムを記録したコンピュータ読取り可能な記録媒体も、本発明の実施形態の１つである。また、このようなプログラムを、画像を閲覧するためのビューアソフトに組み込むようにしてもよい。
【図面の簡単な説明】
【００６４】
【図１】本発明の第１の実施形態によるインデックスプリント作成装置を適用した注文受付装置の外観斜視図
【図２】本発明の第１の実施形態による注文受付装置の構成を示す概略ブロック図
【図３】第１の実施形態において行われる処理を示すフローチャート
【図４】第１の実施形態において背景画像にベース画像が配置された状態を示す図
【図５】第１の実施形態において作成されたインデックスプリントを示す図
【図６】第１の実施形態において作成されたインデックスプリントの他の例を示す図
【図７】第２の実施形態において行われる処理を示すフローチャート
【図８】第２の実施形態において背景画像にベース画像が配置された状態を示す図
【図９】第２の実施形態において作成されたインデックスプリントを示す図
【図１０】第３の実施形態において行われる処理を示すフローチャート
【図１１】第３の実施形態において背景画像にベース画像が配置された状態を示す図
【図１２】第３の実施形態において作成されたインデックスプリントを示す図
【符号の説明】
【００６５】
１    注文受付装置
２    メモリカード
４    カードスロット
６    表示部
８    ＣＤドライブ
１０    プリンタ
１２    ＣＰＵ
１４    システムメモリ
１６    入力部
２２    圧縮解凍部
２４    ハードディスク
２６    メモリ制御部
２８    表示制御部
３０    インターフェース
３２    インデックスプリント作成部
３４    ベース画像配置部
３６    ユーザ画像配置部
４０    背景画像
４２，４２Ａ〜４２Ｅ    ベース画像
４４    ユーザ画像
５０    インデックスプリント
【図１】
2007233778.tif 000003
【図２】
2007233778.tif 000004
【図３】
2007233778.tif 000005
【図４】
2007233778.tif 000006
【図５】
2007233778.tif 000007
【図６】
2007233778.tif 000008
【図７】
2007233778.tif 000009
【図８】
2007233778.tif 000010
【図９】
2007233778.tif 000011
【図１０】
2007233778.tif 000012
【図１１】
2007233778.tif 000013
【図１２】
2007233778.tif 000014